(57)【要約】      （修正有）【課題】表示された調理メニューの他に選択可能な調理メニューがあることを、使用者に分かり易く表示することができる加熱調理器を提供する。【解決手段】本体に、調理メニューが表示可能な表示手段（表示エリアａ１３ａ）と、調理メニューを選択するメニューキー５ｂと、メニュー確定手段と、表示手段を制御する制御手段とを備え、制御手段はメニューキーの１回の操作毎に、調理メニューを示す名称を一定順番で表示手段中央に表示させる制御をし、１つの調理メニューを表示手段表示画面中央の位置に表示させた状態では、その前後あるいは両側に表示される別の調理メニュー名称の文字の大きさは中央に表示させた調理メニュー名称の文字よりも小さく表示させ、画面中央位置に特定の調理メニュー名称が表示された状態で、メニュー決定信号が制御手段に出された場合、特定の調理メニューで調理が行われることが決定するようにした。【選択図】図５
2015041328.tif 000002
【特許請求の範囲】
【請求項１】
本体に、複数の調理メニューが表示可能な表示手段と、
前記調理メニューを選択するためのメニューキーと、
メニュー決定信号を発するメニュー確定手段と、
前記メニューキーからの入力を受けて、前記表示手段を制御する制御手段と、を備え、
前記制御手段は、前記メニューキーの１回の操作毎に、前記調理メニューを示す名称を、一定の順番で前記表示手段の中央に表示させる制御をし、
１つの前記調理メニューを前記表示手段の表示画面の中央の位置に表示させた状態では、その前後あるいは両側に表示される別の調理メニューの名称の文字の大きさは、前記中央に表示させた調理メニューの名称の文字よりも小さく表示させ、
前記表示画面の中央の位置に特定の調理メニューの名称が表示された状態で、前記メニュー確定手段からのメニュー決定信号が前記制御手段に出された場合、前記特定の調理メニューで調理が行われることが決定することを特徴とする加熱調理器。
【請求項２】
本体に、複数の調理メニューが表示可能な表示手段と、
前記調理メニューを選択するためのメニューキーと、
メニュー決定信号を発するメニュー確定手段と、
前記メニューキーからの入力を受けて、前記表示手段を制御する制御手段と、を備え、
前記制御手段は、前記メニューキーの１回の操作毎に、前記調理メニューを示す名称を、一定の順番で前記表示手段の中央に表示させる制御をし、
１つの前記調理メニューを前記表示手段の表示画面の中央の位置に表示させた状態では、その前後あるいは両側に表示される別の調理メニューの名称の文字は、前記中央に表示させた調理メニューの名称の文字に対して、その一部が隠れているように表示させ、
前記表示画面の中央の位置に特定の調理メニューの名称が表示された状態で、前記メニュー確定手段からのメニュー決定信号が前記制御手段に出された場合、前記特定の調理メニューで調理が行われることが決定することを特徴とする加熱調理器。
【請求項３】
本体に、複数の調理メニューが表示可能な表示手段と、
前記調理メニューを選択するためのメニューキーと、
メニュー決定信号を発するメニュー確定手段と、
前記メニューキーからの入力を受けて、前記表示手段を制御する制御手段と、を備え、
前記制御手段は、前記メニューキーの１回の操作毎に、前記調理メニューを示す名称を、一定の順番で前記表示手段の中央に表示させる制御をし、
１つの前記調理メニューを前記表示手段の表示画面の中央の位置に表示させた状態では、その前後あるいは両側に表示される別の調理メニューの名称の文字の表示の濃さは、前記中央に表示させた調理メニューの名称の文字よりも淡く表示させ、
前記表示画面の中央の位置に特定の調理メニューの名称が表示された状態で、前記メニュー確定手段からのメニュー決定信号が前記制御手段に出された場合、前記特定の調理メニューで調理が行われることが決定することを特徴とする加熱調理器。
【請求項４】
本体に、複数の調理メニューが表示可能な表示手段と、
前記調理メニューを選択するためのメニューキーと、
メニュー決定信号を発するメニュー確定手段と、
前記メニューキーからの入力を受けて、前記表示手段を制御する制御手段と、を備え、
前記制御手段は、前記メニューキーの１回の操作毎に、前記調理メニューを示す名称を、一定の順番で前記表示手段の中央に表示させる制御をし、
１つの前記調理メニューを前記表示手段の表示画面の中央の位置に表示させた状態では、その前後あるいは両側に表示される別の調理メニューの名称の文字の色は、前記中央に表示させた調理メニューの名称の文字とは異なる色で表示させ、
前記表示画面の中央の位置に特定の調理メニューの名称が表示された状態で、前記メニュー確定手段からのメニュー決定信号が前記制御手段に出された場合、前記特定の調理メニューで調理が行われることが決定することを特徴とする加熱調理器。
【請求項５】
加熱源を備えた本体には、
第１から第３の少なくとも３つの調理メニューの中から１つが選択されて前記加熱源を制御する制御手段と、
前記全ての調理メニューを一定の順番で表示可能な表示手段と、
前記表示手段で表示される表示画面を、切替えるため前記表示画面への使用者の指の接触とその方向を検知する画面切替検知手段と、
使用者の操作により１つの調理メニューを確定させる確定信号を前記制御手段に対して入力する決定手段と、を備え、
前記制御手段は、前記表示手段が１度に表示する表示画面の中に、３つの調理メニューの名称を同時に表示し、
前記表示画面では、中央部に表示された第１の調理メニューの名称を示す文字に比較して、その両側に表示される第２、第３の調理メニューを示す名称の文字を小さく表示させ、
使用者がこの表示画面の状態から、前記表示画面を前記第３の調理メニューが示されている方向にスクロールさせる動作をしたことが前記画面切替検知手段によって検知されると、中央部に表示されていた第１の調理メニューの名称を示す文字は小さくなった状態で、そのスクロール方向に表示され、前記スクロール方向とは反対の方向に表示されていた前記第２の調理メニューを示す名称は、第１の調理メニューを示す名称よりも大きな状態で前記表示画面の中央部に表示され、
前記制御手段における実行すべき調理メニューは、前記表示画面の中央部に、特定の前記調理メニューの名称が表示されている状態で、前記決定手段によって前記確定信号が前記制御手段に入力されることにより確定することを特徴とする加熱調理器。
【請求項６】
前記制御手段により、前記調理メニューは、進むようにあるいは戻るように連続して前記表示手段に表示され、進むように表示される場合は最後の調理メニューが表示されると、それに続いて最初の調理メニューが表示されて、戻るように表示される場合は最初の調理メニューが表示されると、それに続いて最後の調理メニューが表示されるようになっており、前記最初の調理メニューと前記最後の調理メニューの間に、目印となる表示をするようにしたことを特徴とする請求項１乃至請求項５の何れか１項に記載の加熱調理器。
【請求項７】
音声による報知手段を備え、
前記制御手段により、前記調理メニューは、進むようにあるいは戻るように連続して前記表示手段に表示され、進むように表示される場合は最後の調理メニューが表示されると、それに続いて最初の調理メニューが表示されて、戻るように表示される場合は最初の調理メニューが表示されると、それに続いて最後の調理メニューが表示されるようになっており、前記最初の調理メニューあるいは前記最後の調理メニューを表示したときに、前記制御手段は前記最初の調理メニューあるいは前記最後の調理メニューであることを前記報知手段により報知するようにしたことを特徴とする請求項１乃至請求項５の何れか１項に記載の加熱調理器。
【請求項８】
音声による報知手段を備え、
前記制御手段により、前記調理メニューは、進むようにあるいは戻るように連続して前記表示手段に表示され、進むように表示される場合は最後の調理メニューが表示されると、それに続いて最初の調理メニューが表示されて、戻るように表示される場合は最初の調理メニューが表示されると、それに続いて最後の調理メニューが表示されるようになっており、前記制御手段はメニューキーの入力毎に前記報知手段により所定の報知をし、前記最初の調理メニューあるいは前記最後の調理メニューを表示したときに、前記所定の報知とは異なる報知をするようにしたことを特徴とする請求項１乃至請求項５の何れか１項に記載の加熱調理器。
【請求項９】
前記表示手段の近傍に、複数の前記調理メニューの表示に連動して表示が移動する位置表示手段を設けたことを特徴とする請求項１乃至請求項８の何れか１項に記載の加熱調理器。
【請求項１０】
前記制御手段は、複数の前記調理メニューの表示順序を変更することが可能であることを特徴とする請求項１乃至請求項９の何れか１項に記載の加熱調理器。
【請求項１１】
複数の前記調理メニューを記憶する記憶手段と、
新しい調理メニューを取り込むためのメニュー取込み手段と、を備え、
前記制御手段は、入力した前記新しい調理メニューを前記表示手段に表示し、それを前記記憶手段に記憶するようにしたことを特徴とする請求項１乃至請求項１０の何れか１項に記載の加熱調理器。
【請求項１２】
前記本体の上方に、被加熱物を載置可能な天板を備え、
前記天板に前記メニューキーと、前記表示手段の表示内容が目視可能な窓部を設け、前記天板の前記窓部下方に前記表示手段を設けたことを特徴とする請求項１乃至請求項１１の何れか１項に記載の加熱調理器。
【請求項１３】
前記本体の前方に、前面操作部を備え、
前記前面操作部に前記メニューキーと、前記表示手段を設けたことを特徴とする請求項１乃至請求項１１の何れか１項に記載の加熱調理器。
【請求項１４】
前記本体の上方に、被加熱物を載置可能な天板と、
前記本体の前方に、前面操作部と、を備え、
前記天板に前記表示手段の表示内容が目視可能な窓部を設け、前記天板の前記窓部下方に前記表示手段を設け、
前記前面操作部に前記メニューキーを設けたことを特徴とする請求項１乃至請求項１１の何れか１項に記載の加熱調理器。
【発明の詳細な説明】
【技術分野】
【０００１】
本発明は、調理メニュー表示手段を備えた加熱調理器に関する。
【背景技術】
【０００２】
従来、実行可能な調理メニューを所定の表示スペースに一覧で表示する加熱調理器（例えば、特許文献１参照）や、実行可能な調理メニューをキー操作で順番に表示する加熱調理器（例えば、特許文献２参照）が知られている。
【先行技術文献】
【特許文献】
【０００３】
【特許文献１】特開２００９−００２５８６号公報（第５頁、図３）
【特許文献２】特開平８−０４２８５３号公報（第４頁、図５）
【発明の概要】
【発明が解決しようとする課題】
【０００４】
しかし、特許文献１に記載の従来の加熱調理器では所定の表示スペースに表示できるメニュー数は限られており、メニュー数を増やすには表示する文字のサイズを小さくしなければならず、使用者が判読し難くなるという問題があった。
【０００５】
また、文字のサイズを小さくせずにメニューを増やすには表示スペースを広くしなければならず、加熱調理器の構造を大きく変更しなければならないという問題があった。
【０００６】
特許文献２に記載の従来の加熱調理器ではメニューを順番に表示していくので、文字のサイズを小さくすることなく所定の表示スペースに表示できるが、１画面に１メニューしか表示されないので、次にまだ選択可能なメニューがあるのか使用者が分かり難いという問題があった。
【０００７】
本発明は、上記課題に鑑みてなされたものであり、表示された調理メニューの他に選択可能な調理メニューがあることを、使用者に分かり易く表示することができる加熱調理器を提供することを目的とする。
【課題を解決するための手段】
【０００８】
課題を解決する本発明の加熱調理器は、本体に、複数の調理メニューが表示可能な表示手段と、調理メニューを選択するためのメニューキーと、メニュー決定信号を発するメニュー確定手段と、メニューキーからの入力を受けて、表示手段を制御する制御手段と、を備え、制御手段は、メニューキーの１回の操作毎に、調理メニューを示す名称を、一定の順番で表示手段の中央に表示させる制御をし、１つの調理メニューを表示手段の表示画面の中央の位置に表示させた状態では、その前後あるいは両側に表示される別の調理メニューの名称の文字の大きさは、中央に表示させた調理メニューの名称の文字よりも小さく表示させ、表示画面の中央の位置に特定の調理メニューの名称が表示された状態で、メニュー確定手段からのメニュー決定信号が制御手段に出された場合、特定の調理メニューで調理が行われることが決定するようにしたものである。
【発明の効果】
【０００９】
本発明によれば、１つの調理メニューを表示手段の表示画面の中央の位置に表示させた状態では、その前後あるいは両側に表示される別の調理メニューの名称の文字の大きさは、中央に表示させた調理メニューの名称の文字よりも小さく表示させるようにしたので、使用者が次に選択可能なメニューがあることを容易に認識でき、メニュー選択がし易くなる。
【００１０】
さらに、前後の調理メニューを、中央の位置に表示された調理メニューよりも小さい文字で、中央の位置に表示された調理メニューの前後に表示するようにしたので、使用者がキー操作で実行したい調理メニューを１つ送りすぎてしまっても容易に確認でき、１つ戻せばよいことが見て分かるので使い勝手が向上する。
【図面の簡単な説明】
【００１１】
【図１】本発明の実施の形態１に係る加熱調理器の構成を示す斜視図である。
【図２】本発明の実施の形態１に係る加熱調理器の構成を示す天板を外した状態の斜視図である。
【図３】本発明の実施の形態１に係る加熱調理器の基本構成を示すブロック図である。
【図４】本発明の実施の形態１に係る加熱調理器の表示とメニューキーの一例を示す模式図である。
【図５】本発明の実施の形態１に係る加熱調理器の調理メニュー表示の変遷の一実施例を示す模式図である。
【図６】本発明の実施の形態１に係る加熱調理器の調理メニュー表示の変遷の他の実施例を示す模式図である。
【図７】本発明の実施の形態１に係る加熱調理器の調理メニュー表示の変遷の他の実施例を示す模式図である。
【図８】本発明の実施の形態１に係る加熱調理器の調理メニューと加熱条件表示の一実施例を示す模式図である。
【図９】本発明の実施の形態２に係る加熱調理器の基本構成を示すブロック図である。
【図１０】本発明の実施の形態２に係る加熱調理器の表示とキーの一例を示す模式図である。
【図１１】本発明の実施の形態２に係る加熱調理器の調理メニュー表示とメニュー位置表示の一実施例を示す模式図である。
【図１２】本発明の実施の形態２に係る加熱調理器の調理メニューの表示順序変更の一実施例を示す模式図である。
【図１３】本発明の実施の形態３に係る加熱調理器の基本構成を示すブロック図である。
【図１４】本発明の実施の形態３に係る加熱調理器の表示とキーの一例を示す模式図である。
【図１５】本発明の実施の形態３に係る加熱調理器の新しく取込んだ調理メニューを表示した一実施例を示す模式図である。
【図１６】本発明の実施の形態３に係る加熱調理器の新しく取込んだ調理メニューと加熱条件表示の一実施例を示す模式図である。
【図１７】本発明の実施の形態１から３に係る加熱調理器の他の構成を示す斜視図である。
【図１８】本発明の実施の形態１から３に係る加熱調理器の他の構成を示す斜視図である。
【図１９】本発明の実施の形態４に係る加熱調理器の基本構成を示すブロック図である。
【図２０】本発明の実施の形態４に係る加熱調理器の表示の一例を示す模式図である。
【図２１】本発明の実施の形態４に係る加熱調理器の表示近傍の模式断面図である。
【図２２】本発明の実施の形態４に係る加熱調理器の調理メニュー表示の変遷の一実施例を示す模式図である。
【発明を実施するための形態】
【００１２】
実施の形態１
（構成）
図１は本発明の実施の形態１に係る加熱調理器の構成を示す斜視図、図２は本発明の実施の形態１に係る加熱調理器の構成を示す天板を外した状態の斜視図、図３は本発明の実施の形態１に係る加熱調理器の基本構成を示すブロック図、図４は本発明の実施の形態１に係る加熱調理器の表示とメニューキーの一例を示す模式図である。
【００１３】
以下、図１〜図４により本発明の実施の形態１の加熱調理器の構成を説明する。
なお、それぞれの図において、同じ部分または相当する部分には同じ符号を付し、一部の説明を省略する場合がある。
【００１４】
図１に示すように、本発明の実施の形態１の加熱調理器１００は、本体１の天面に鍋等の調理容器である被調理物９を載置可能な非磁性体、例えば結晶化ガラスからなるトッププレート２と、その外周に図示しないシリコン系接着剤等で固着された金属、例えばステンレスで構成された枠体３を備えてなる天板４を備えている。
【００１５】
それから、天板４に各種の操作入力を行う上面操作部５を備えている。上面操作部５には、図４に示すように入力開始キー５ａ、メニューキー５ｂ、温度／焼き色設定キー５ｃ、時間設定キー５ｄが設けられている。
【００１６】
後段で詳しく説明するが、入力開始キー５ａはメニュー選択の開始のときに操作するキーである。メニューキー５ｂは調理メニューを選択するためのキーで、頂点が上方向に向いた三角形（以降上三角形とする）のキーでメニューを進めることができ、頂点が下方向に向いた三角形（以降下三角形とする）のキーでメニューを戻すことができる。
【００１７】
温度／焼き色設定キー５ｃは調理する温度や焼き色を設定するためのキーで、上三角形のキーで温度を高くしたり焼き色を濃くしたりすることができ、下三角形のキーで温度を低くしたり焼き色を薄くしたりすることができる。
【００１８】
時間設定キー５ｄは調理する時間を設定するためのキーで、上三角形のキーで時間を長くすることができ、下三角形のキーで時間を短くすることができる。なお、上面操作部５であるが、上面にあれば枠体３に機械式のスイッチで設けても、トッププレート２に静電スイッチのような静電容量式のタッチスイッチで設けても、どちらでもよい。
【００１９】
本体１の前面には、加熱調理器の電源を入り切りする電源スイッチ６を備えている。７は魚等の被調理物をその内部に載置してグリル調理やオーブン調理をする調理庫で、輻射式の調理庫用加熱手段７ａが内部に配設されている。調理庫７は前面が開口していて、調理庫７の前面開口には、調理庫用加熱手段７ａが配設された空間の開口を閉塞するための調理庫扉８が前方に引き出し自在に設けられている。
【００２０】
調理庫扉８は、その引き出しに連動して被調理物を載置する載置皿（図示せず）と焼き網（図示せず）を引き出せるようになっており、調理庫扉８を最も押し込んだ状態で調理庫７の前面開口が閉塞され調理が行える。調理の操作入力は、上面操作部５または前面操作部６の入力手段（図示せず）から行えるようになっている。
【００２１】
トッププレート２下方の本体１内には、図２に示すように左加熱手段１１、右加熱手段１２、中央加熱手段１３が配設されている。それぞれ誘導加熱コイルからなる誘導加熱手段であり、このように加熱手段が３つ設けられたものは３口タイプの加熱調理器と呼ばれるものである。
【００２２】
なお、前述の説明では誘導加熱手段を３口設けた例をあげたが、加熱手段が３口設けられた加熱調理器では、その内の１口を誘導加熱手段ではない加熱手段、例えばラジエントヒーターのような電熱線からなる輻射式加熱手段で構成してもよく適宜選択可能である。
【００２３】
トッププレート２の下方には、図２に示すように基板１４に搭載された表示手段１３が設けられており、トッププレート２に設けられた窓部２によって表示内容がそれぞれトッププレート２の上方から視認できるようになっている。
【００２４】
なお、ここでいう表示手段とは液晶（ＬＣＤ）による表示手段である。但し、液晶（ＬＣＤ）に限定されるものではなく、有機電界発光（Ｅｌｅｃｔｒｏ  Ｌｕｍｉｎｅｓｃｅｎｃｅ：ＥＬ）素子などを用いてもよい。
【００２５】
さらに、前述の表示手段における表示とは、文字や記号、イラストにより、使用者に調理器の動作条件や調理に参考となる関連情報を視覚的に知らせる動作をいう。本実施の形態では主に文字での表示を例に挙げて説明する。
【００２６】
表示手段１３を詳しく説明すると、表示手段１３は３つの表示エリアを有しており、１３ａは調理メニューを表示するための表示エリアａ、１３ｂは調理のために設定する温度や焼き色を表示するための表示エリアｂ、１３ｃは調理する時間を表示するための表示エリアｃとなっている。
【００２７】
表示エリアａである１３ａに表示される調理メニューは、メニューキー５ｂで選択、表示される。同様に表示エリアｂである１３ｂに表示される温度や焼き色は温度／焼き色設定キー５ｃで選択、表示され、表示エリアｃである１３ｃに表示される時間は時間設定キー５ｄで選択、表示される。
【００２８】
トッププレート２の下方で、調理庫７の側方には電子部品（図示せず）から構成された図３に示す制御手段１５を内包した制御基板（図示せず）が配設されている。
【００２９】
さらに、スイッチング素子（図示せず）や整流回路（図示せず）、その他電子部品（図示せず）から構成された図３に示す左加熱手段用インバーター回路１７、右加熱手段用インバーター回路１８、中央加熱手段用インバーター回路１９を内包したインバーター基板（図示せず）、調理庫用加熱手段７ａに電力を供給する電源基板（図示せず）が配設されている。
【００３０】
（動作）
次に前述の図３と図５〜図８により、本発明の実施の形態１に係る加熱調理器の調理メニューの表示の一例について説明する。図５は本発明の実施の形態１に係る加熱調理器の調理メニュー表示の変遷の一実施例を示す模式図、図６は本発明の実施の形態１に係る加熱調理器の調理メニュー表示の変遷の他の実施例を示す模式図、図７は本発明の実施の形態１に係る加熱調理器の調理メニュー表示の変遷の他の実施例を示す模式図、図８は本発明の実施の形態１に係る加熱調理器の調理メニューと加熱条件表示の一実施例を示す模式図である。
【００３１】
なお、ここでは調理庫７で調理することを前提として、焼き物のメニューでの表示を例として説明する。但し、焼き物のメニューに限定した表示ということではなく、当然のことながら誘導加熱手段である左加熱手段１１、右加熱手段１２、中央加熱手段１３で行う調理メニューにも同様の表示が行えることを述べておく。
【００３２】
電源スイッチ６により電源を入れた後、上面操作部５の入力開始キー５ａを入れると、調理庫７での調理開始状態となり制御手段１５が記憶手段１６に記憶されている調理庫７で実行可能な調理メニューを表示手段１３の表示エリアａである１３ａに表示する。
【００３３】
なお、ここでは入力を開始する、言い換えると調理を開始するキーを入力開始キーという名称としたが、焼き物調理を開始するための名称、例えば焼き物キーやグリル調理キーというような名称でもよい。
【００３４】
また、ここでは調理庫７で調理することを前提としたが、誘導加熱手段である例えば左加熱手段１１で調理する場合は、左加熱手段の入力を開始する左加熱手段キーというような
名称のキーとして、加熱手段毎にそれぞれ同様の入力を開始するためのキーを設けてもよい。
【００３５】
図５の（ａ）に示すように、例えばグリルという調理メニューが表示エリアａである１３ａの上下方向の中心位置に表示される。入力開始キー５ａを入れることで調理庫７での調理開始状態となったとき、最初に表示される調理メニューは前回実行した調理メニューを表示するようになっている。図５の（ａ）の場合、前回グリルを実行していたのでグリルが表示されたということである。但し、この最初に表示するメニューは、必ずしも前回実行したメニューである必要はなく、これに限定されるものではない。
【００３６】
調理メニューを表示したとき、前述したようにグリルという調理メニューが表示エリアａである１３ａの上下方向の中央位置に表示されるが、それと同時にグリルの次に選択可能な調理メニューが、グリルの文字の大きさよりも小さい文字の大きさで表示されている。
【００３７】
図５の（ａ）では、例えばグリルの上方に小魚という調理メニュー、下方にオーブンという調理メニューがグリルの文字の大きさよりも小さい文字の大きさで表示されている。ここでオーブンを選択したいときは、メニューキー５ｂの上三角形のキーでメニューを進めることで選択でき、小魚を選択したいときは、下三角形のキーでメニューを戻すことで選択できる。
【００３８】
メニューキー５ｂの上三角形のキーでメニューを進め、オーブンを選択した表示例を図５の（ｂ）に示す。ここでは、オーブンが中央位置に大きい文字で表示され、グリルは中央位置に表示されていたときよりも小さい文字の大きさで、オーブンの上方に表示されている。
【００３９】
そして、オーブンの下方に、オーブンの次に選択が可能なあたためという調理メニューがオーブンの文字の大きさよりも小さい文字の大きさで表示されるようになる。
【００４０】
使用したい調理メニューを表示させて、所定の時間、例えば３秒間その表示状態が維持されると、メニュー決定信号が制御手段１５に送られ、これにより制御手段１５は調理メニューが確定したと判断し調理が開始される。
【００４１】
なお、ここでは所定の時間、その表示状態が維持されると調理メニューが確定するとしたが、表示が３秒間維持されたことを視覚的に認知させるようにしてもよい。
【００４２】
例えば、表示エリアａ（１３ａ）の外周に枠上の発光部を設け、調理メニューの選択（表示の変更）中はその発光部を点滅させて、特定の調理メニューの表示が３秒間維持されると、調理メニューが確定したとして点滅から点灯に発光状態を変えたり、表示エリアａ（１３ａ）の調理メニューの文字を表示している以外の表示部分の表示色を、調理メニューの選択（表示の変更）中の表示色と、特定の調理メニューの表示が３秒間維持された後で調理メニューが確定したとして表示色を変えたりすることで、使用者に調理メニューが確定したことを容易に認知させることができる。
【００４３】
また、調理の開始については、所定の時間、表示状態が維持されることで開始される例で説明したが、これに限定されるものではなく、調理開始を図示しないキーによる操作で制御手段１５に入力するようにしてもよい。
【００４４】
それから、調理メニューが確定したら、メニューキーを操作する必要がなくなるため、確定した調理メニューの上下に小さい文字で表示されている前後の調理メニューの表示をやめて、確定した調理メニューのみ表示させるようにしてもよい。
【００４５】
このように、選択した調理メニューを上下の中央位置に大きい文字で表示し、その上下に、選択した調理メニューの次に選択が可能な調理メニューを、選択した調理メニューよりも小さい文字で同時に表示することで、使用者は選択した調理メニューを明確に認知でき、さらにその前後にあるメニューを容易に視認できるので、調理メニューが選択しやすくなる。
【００４６】
図５の（ｃ）は、オーブンの次に見えているあたためという調理メニューを選択したときの表示状態を示している。オーブンは進められて中央位置に表示されていたときよりも小さい文字の大きさで、あたための上方に表示されている。
【００４７】
あたための下方には、あたための次に選択が可能な姿焼きという調理メニューがあたための文字の大きさよりも小さい文字の大きさで表示されるようになる。このとき、あたための文字の下に、目印線２７が引かれている。
【００４８】
この目印線２７は、あたためが最後の調理メニューであることを使用者に視覚的に知らせるためのものである。調理メニューの選択はエンドレスでできるようになっており、表示もエンドレスで表示するようになっている。
【００４９】
よって、目印線２７以降は、メニューが一巡して最初から表示されるということで、姿焼きが最初のメニューであり、使用者に最初の調理メニューに戻ることを認識させることができる。
【００５０】
なお、ここでは目印線２７として、最後の調理メニューと最初の調理メニューの間に線を引いて表示するようにしたが、これに限定されるものではなく、使用者に最後の調理メニューであることを認識させることができる表示であれが、文字でも図形でもよい。
【００５１】
図３に示すように、加熱調理器１００は報知手段２０を有している。ここでいう報知とは表示とは異なる方法、例えば音声やブザー音のような聴覚的に認知させるためのものである。
【００５２】
表示とは別に、メニューキー５ｂが入れられたことを聴覚的にも認知させることができ、例えば操作の度にピッ、ピッ、と同じ音で報知させることで、表示とともに操作を確実にしていることを使用者に認識させることができる。
【００５３】
最後の調理メニューまできたときに音を変えることで、目印線２７とともに使用者に最後の調理メニューであることを認識させることができる。例えば、通常の操作ではピッ、ピッ、と短い音で鳴って、最後の調理メニューまできたときにピーッ、と少し長い音で鳴ることで、その違いにより、最後の調理メニューであることを明確に認識できる。
【００５４】
次に図６により本発明の実施の形態１に係る加熱調理器の調理メニュー表示の変遷の他の実施例を説明する。図５で説明したものとは異なる表示形態をしたものであり、図５での説明と同様、グリルという調理メニューが表示エリアａである１３ａの上下方向の中央位置に表示されるが、それと同時にグリルの次に選択可能な調理メニューが、その文字の一部が隠れた状態で表示されている。
【００５５】
図６の（ａ）では、例えばグリルの上方に小魚という調理メニュー、下方にオーブンという調理メニューがその文字一部が隠れた状態で表示されている。ここでいう隠れた状態とは、表示されている調理メニューが読み取れる程度に隠れている表示状態のことであり、図６の（ａ）に示すようにグリルの上に表示された小魚、グリルの下に表示されたオーブンのように、一部が隠れていても明らかに読み取れる表示状態のことである。
【００５６】
メニューキー５ｂの上三角形のキーでメニューを進め、オーブンを選択した表示例を図６の（ｂ）に示す。ここでは、オーブンが中心位置に表示され、グリルはその文字の一部が隠れた状態で、オーブンの上方に表示されている。
【００５７】
そして、オーブンの下方に、オーブンの次に選択が可能なあたためという調理メニューがその文字の一部が隠れた状態で、で表示されるようになる。
【００５８】
このように、選択した調理メニューを上下の中央位置に表示し、その上下に、選択した調理メニューの次に選択が可能な調理メニューを、その文字の一部が隠れた状態で同時に表示することで、使用者は選択した調理メニューを明確に認知でき、さらにその前後にあるメニューを容易に視認できるので、調理メニューが選択しやすくなる。
【００５９】
図６の（ｃ）でもあたための文字の下に、目印線２７が引かれているが、図５での説明と同様の意味であり、ここでの説明は省略する。
【００６０】
次に図７により本発明の実施の形態１に係る加熱調理器の調理メニュー表示の変遷の図５、図６と異なる他の実施例を説明する。図５、図６で説明したものとは異なる表示形態をしたものであり、図５、図６での説明と同様、グリルという調理メニューが表示エリアａ１３ａの上下方向の中央位置に表示されるが、それと同時にグリルの次に選択可能な調理メニューが、グリルの文字よりも淡い色の文字で表示されている。
【００６１】
図７の（ａ）では、例えばグリルの上方に小魚という調理メニュー、下方にオーブンという調理メニューが、グリルの文字よりも淡い色の文字で表示されている。ここでいう淡い文字の色とは、表示されている調理メニューが読み取れる程度に、中心位置に表示されている調理メニューの文字よりも明らかに薄い色のことである。
【００６２】
つまりは、図７の（ａ）に示すようにグリルの上に表示された小魚、グリルの下に表示されたオーブンのように、グリルの文字の濃さとは明らかに異なり、且つ薄い色でも明らかに読み取れる表示状態のことである。
【００６３】
メニューキー５ｂの上三角形のキーでメニューを進め、オーブンを選択した表示例を図６の（ｂ）に示す。ここでは、オーブンが中心位置に表示され、グリルはオーブンの表示文字よりも明らかに淡い（薄い）色の文字で、オーブンの上方に表示されている。
【００６４】
そして、オーブンの下方に、オーブンの次に選択が可能なあたためという調理メニューがオーブンの表示文字よりも明らかに淡い（薄い）色の文字で表示されるようになる。
【００６５】
このように、選択した調理メニューを上下の中心位置に表示し、その上下に、選択した調理メニューの次に選択が可能な調理メニューを明らかな濃淡をつけて同時に表示することで、使用者は選択した調理メニューを明確に認知でき、さらにその前後にあるメニューを容易に視認できるので、調理メニューが選択しやすくなる。
【００６６】
なお、ここでは同系色の濃淡で表示を変えるようにしたが、明らかに異なることを認知させるようにするには、同系色の濃淡ではなく、明らかに系統の異なる色、例えば、選択した調理メニューを上下の中心位置に黒色で表示し、その上下に、選択した調理メニューの次に選択が可能な調理メニューを赤色で同時に表示するようにしても、使用者は選択した調理メニューを明確に認知でき、さらにその前後にあるメニューを容易に視認できるので、調理メニューが選択しやすくなる。
【００６７】
図７の（ｃ）でもあたための文字の下に、目印線２７が引かれているが、図５、図６での説明と同様の意味であり、ここでの説明は省略する。
【００６８】
なお、ここまでは調理メニューの表示について説明してきたが、温度の表示や時間の表示などの加熱条件の表示においても同様な表示が可能であり、図８に本発明の実施の形態１に係る加熱調理器の調理メニューと加熱条件表示の一実施例を示す。なお、図８では、図５で説明した上下を小さい文字で表示する例を挙げている。
【００６９】
電源スイッチ６により電源を入れた後、上面操作部５の入力開始キー５ａを入れると、調理庫７での調理開始状態となり制御手段１５が記憶手段１６に記憶されている調理庫７で実行可能な調理メニューを表示手段１３の表示エリアａである１３ａに表示する。
【００７０】
図８に示すように、例えばオーブンという調理メニューが表示エリアａである１３ａの上下方向の中心位置に表示される。入力開始キー５ａを入れることで調理庫７での調理開始状態となったとき、最初に表示される調理メニューは前回実行した調理メニューを表示するようになっている。
【００７１】
調理メニューが表示されると同時に、表示エリアｂである１３ｂに温度が、表示エリアｃである１３ｃに時間がそれぞれ表示される。
【００７２】
オーブンという調理メニューが表示エリアａである１３ａの上下方向の中心位置に、１９０℃という温度が表示エリアｂである１３ｂの上下方向の中心位置に、２０分という時間が表示エリアｃである１３ｃの上下方向の中心位置にそれぞれ表示される。
【００７３】
それと同時に表示エリアａである１３ａには、オーブンの文字の大きさよりも小さい文字の大きさで、オーブンの次に選択可能な調理メニューがオーブンの表示の上下に表示されている。同様に表示エリアｂである１３ｂには、１９０℃の文字の大きさよりも小さい文字の大きさで、１９０℃の次に選択可能な温度が１９０℃の表示の上下に表示され、表示エリアｃである１３ｃには、２０分の文字の大きさよりも小さい文字の大きさで、２０分の次に選択可能な時間が２０分の表示の上下に表示されている。
【００７４】
このように、選択した調理メニュー、温度、時間を上下の中心位置に大きい文字で表示し、その上下に、選択した調理メニューの次に選択が可能な調理メニューを選択した調理メニューよりも小さい文字で、選択した温度の次に選択が可能な温度を選択した温度よりも小さい文字で、選択した時間の次に選択が可能な時間を選択した時間よりも小さい文字でそれぞれ表示することで、使用者は選択した調理メニュー、温度、時間を明確に認知でき、さらにその前後にある調理メニュー、温度、時間を容易に視認できるので、調理メニュー、温度、時間が選択しやすくなる。
【００７５】
以上のように、本発明の実施の形態１に係る加熱調理器では、選択した調理メニューと、その前後の調理メニューを異なる表示形態で、同時に表示するようにしたので、使用者は選択した調理メニューを認知するとともに、その前後の調理メニューも把握することができるので、メニューを送りすぎてしまっても、前後のメニューを見ることができ、メニューの選択がしやすくなり使い勝手を向上させることができる。
【００７６】
実施の形態２
（構成と動作）
本発明の実施の形態２に係る加熱調理器の構成は、本発明の実施の形態１に係る加熱調理器と一部が異なるだけであり、ここでは異なる箇所を説明し、その他の説明は本発明の実施の形態１の加熱調理器と同様であるので省略する。
【００７７】
図９は本発明の実施の形態２に係る加熱調理器の基本構成を示すブロック図、図１０は本発明の実施の形態２に係る加熱調理器の表示とキーの一例を示す模式図、図１１は本発明の実施の形態２に係る加熱調理器の調理メニュー表示とメニュー位置表示の一実施例を示す模式図、図１２は本発明の実施の形態２に係る加熱調理器の調理メニューの表示順序変更の一実施例を示す模式図である。
【００７８】
以下、図９〜図１２により本発明の実施の形態２の加熱調理器の構成と動作を説明する。なお、それぞれの図において、同じ部分または相当する部分には同じ符号を付し、一部の説明を省略する場合がある。
【００７９】
図８及び図９に示すように、本発明の実施の形態２に係る加熱調理器は、本発明の実施の形態１に係る加熱調理器に加え表示順序変更キー５ｅと位置表示手段２１が設けられている。
【００８０】
表示順序変更キー５ｅは、順送りで表示される調理メニュー並び順を変更するためのキーで、使用頻度の高い調理メニューを並べて表示できるようにするためのものである。位置表示手段２１は、調理メニューの表示に連動して、表示している調理メニューが全調理メニューのどの位置にあるかを視覚的に認識できるようにするためのものである。
【００８１】
図１１で位置表示手段２１の位置表示の一例を説明する。位置表示手段２１は、調理メニューが表示される表示エリアａ１３ａの側方に縦方向に設けられている。但し、位置表示手段２１は、調理メニューが表示される表示エリアａ１３ａの近傍に配置されていればよく、表示エリアａ１３ａの上方や下方に横方向に設けられてもよい。
【００８２】
図１１の（ａ）では表示エリアａ１３ａに調理メニューとしてグリルが表示されている。このとき、位置表示手段２１にはＬＥＤである発光部Ａが発光している。これで、全調理メニュー中でグリルはどのぐらいの位置にあるかが理解できる。
【００８３】
図１１の（ｂ）では調理メニューが一つ送られ、グリルの次のオーブンが表示され、それに合わせてＬＥＤである発光部Ｂが、発光部Ａが発光した位置よりも下の位置で発光し、図１１の（ｃ）では調理メニューがさらに一つ送られ、オーブンの次のあたためが表示され、それに合わせてＬＥＤである発光部Ｃが、発光部Ｂが発光した位置よりも下の位置で発光というように、調理メニューの表示に連動して位置表示手段２１の発光位置も制御手段１５により変更するようになっている。
【００８４】
なお、ここでは位置表示手段の表意として複数のＬＥＤを発光させて位置を表示する例を挙げたが、１つのＬＥＤの位置を移動させるようにしてもよい。また、ＬＥＤに限定されるものではなく、バー状の液晶で調理メニュー分区分けをし、該当箇所を点灯させるようにしてもよく、表示の方式は各種選択可能である。
【００８５】
このように、複数ある調理メニューの表示に連動して位置表示手段２１で調理メニューの位置を表示することで、現在表示しているメニューが全調理メニューのどの位置にあるかを、使用者が視覚的に認識できるので、調理メニューを選択するときの使い勝手が向上する。
【００８６】
次に図１２で表示順序変更キー５ｅによる位置表示変更の一例を説明する。図１２の（ａ）では表示エリアａ１３ａに調理メニューとしてグリルが表示されている。このとき、位置表示手段２１にはＬＥＤである発光部Ｄが発光している。これで、全調理メニュー中でグリルはどのぐらいの位置にあるかを表示している。
【００８７】
この状態で表示順序変更キー５ｅを入力すると制御手段１５によりグリルの表示位置が変更可能な状態となり、メニューキー５ｂの上三角形のキーでグリルの表示位置を全調理メニューの上位の方へ移動させることができ、下三角形のキーで下位の方へ移動させることができる。
【００８８】
図１２の（ｂ）、（ｃ）ではグリルの表示位置が上位へ変遷する状態を示しており、グリルの表示順序が上位へ移動することに連動して、制御手段１５が位置表示手段２１での位置表示も発光部Ｅ、発光部Ｆというように上の位置へ位置表示を移動させている。
【００８９】
表示順序を変更した調理メニューは、その調理メニューの表示を所定時間、例えば５秒間維持すると制御手段１５により記憶手段１６に記憶され、その表示位置の変更が確定される。但し、表示位置変更の確定については、これに限定されるものではなく、キー操作で制御手段１５に表示位置変更の確定指示を入力するようにしてもよい。
【００９０】
このように、調理メニューの表示順序を変更することで、使用頻度の高い調理メニューを使用者のニーズに合わせて変更できるので、使い勝手が向上する。また、表示順序の変更に連動して位置表示手段２１の位置表示も変更することで、使用者が容易に表示順序が変更できていることを認識でき、使用者の表示順序変更がやりやすくなる。
【００９１】
実施の形態３
（構成と動作）
本発明の実施の形態３に係る加熱調理器の構成は、本発明の実施の形態２に係る加熱調理器と一部が異なるだけであり、ここでは異なる箇所を説明し、その他の説明は本発明の実施の形態２の加熱調理器と同様であるので省略する。
【００９２】
図１３は本発明の実施の形態３に係る加熱調理器の基本構成を示すブロック図、図１４は本発明の実施の形態３に係る加熱調理器の表示とキーの一例を示す模式図、図１５は本発明の実施の形態３に係る加熱調理器の新しく取込んだ調理メニューを表示した一実施例を示す模式図である。
【００９３】
以下、図１３〜図１５により本発明の実施の形態３の加熱調理器の構成と動作を説明する。なお、それぞれの図において、同じ部分または相当する部分には同じ符号を付し、一部の説明を省略する場合がある。
【００９４】
図１３及び図１４に示すように、本発明の実施の形態３に係る加熱調理器は、本発明の実施の形態２に係る加熱調理器に加えメニュー取込みキー５ｆとメニュー取込み手段２２が設けられている。
【００９５】
メニュー取込み手段２２は、例えばＮＦＣ（近距離無線通信）のようなもので、携帯端末２３を近づけることで、無線でデータの受信ができるものである。
【００９６】
図１５に示す、トッププレート２に設けられている携帯端末感知エリア２８は、その下方にメニュー取込み手段２２が配設されていて、ここに携帯端末２３を近づけることでメニュー取込み手段２２にデータを送信できるようになる。
【００９７】
まず、図１５に示すメニュー取込みキー５ｆを入れると、新しい調理メニューの取込みが可能な状態となり、携帯端末２３を新しい調理メニューのデータが送信可能な状態にして携帯端末感知エリア２８に近づけると、メニュー取込み手段２２により新しい調理メニューが取込まれ、制御手段１５により新しい調理メニューであるメニュー１が表示エリアａ１３ａに表示される。
【００９８】
なお、携帯端末２３は、一般的なインターネット環境に接続可能な携帯電話のようなもので、新しい調理メニューは、インターネットを経由してメーカーのサーバーやホームページから入手可能なものである。
【００９９】
図１２の（ｂ）に、新しい調理メニューであるメニュー１が表示エリアａである１３ａに表示された状態を示す。ここでは、メニュー１は全調理メニューの中間位置に表示されている例に挙げて表示しており、位置表示手段２１ではＬＥＤである発光部Ｈが、上下方向のほぼ中央の位置で発光している。
【０１００】
なお、ここでは新しい調理メニューを全調理メニューの中間位置に表示するようにしたが、これに限定されるものではなく、全調理メニューの最初や最後に表示するようにしてもよい。
【０１０１】
新しく取込んだ調理メニューであるメニュー１は、全調理メニューの中間位置に表示されているが、表示位置の変更が可能であり、表示順序変更キー５ｅを操作しメニューキー５ｂの上三角形のキーで表示位置を全調理メニューの上位の方へ移動させることができ、下三角形のキーで下位の方へ移動させることができる。
【０１０２】
図１２の（ｃ）では全調理メニューの上位の方へ表示順序を移動させた状態の一例を示しており、表示順序が上位へ移動することに連動して、制御手段１５が位置表示手段２１での位置表示も発光部Ｉというように上の位置へ位置表示を移動させていて、メニュー１の表示順序が上位へきていることが使用者に容易に理解できるようになっている。
【０１０３】
表示順序を変更した新しく取込んだ調理メニューであるメニュー１は、この時点ではまだ表示されているだけで記憶手段１６に記憶されていない。メニュー１の表示を所定時間、例えば５秒間維持すると制御手段１５により、この表示順序で新しい調理メニューとして記憶手段１６に記憶され、新しい調理メニューの取込みが確定される。
【０１０４】
但し、新しい調理メニューの取込みの確定については、これに限定されるものではなく、キー操作で制御手段１５に、新しい調理メニューの取込み指示を入力するようにしてもよい。
【０１０５】
このように新しい調理メニューを取込めるようにして、取込んだ調理メニューの表示順序を変更できるようにしたので、使用者が使いやすいようにカスタマイズでき、より使い勝手が向上する。
【０１０６】
なお、ここでは新しい調理メニューの取込みについて説明したが、調理メニューだけでなく図１６に示すように、表示エリアａである１３ａに表示された調理メニューと併せて、表示エリアｂである１３ｂに表示された温度や、表示エリアｃである１３ｃに表示された時間といった加熱条件も取込み可能であることを述べておく。
【０１０７】
それから、実施の形態１から実施の形態３に係る加熱調理器１００では、上面操作部５に入力開始キー５ａやメニューキー５ｂを設けた例で説明したが、図１７に示すように本体前面に前面操作部２４を設けて、前面操作部２４に入力開始キー２５、メニューキー２６を設けても、実施の形態１から実施の形態３に係る加熱調理器１００と同様にメニュー選択やメニュー追加等ができ、使い勝手の向上が図れる。
【０１０８】
また、誘導加熱手段と調理庫を一体にした加熱調理器１００の形態にとどまらず、図１８に示すような本体８１の内部に調理室８４が設けられ、調理室８４の前面に、調理室８４の空間を閉塞するための、把持部８６を有する調理庫扉８５を備えた、例えばオーブンレンジのような形態の加熱調理器２００においても、本体８１の前面に前面操作部８２を設け、前面操作部８２に表示手段８３、入力開始キー８７、メニューキー８８を設けることで、実施の形態１から実施の形態３に係る加熱調理器１００と同様にメニュー選択やメニュー追加等ができ、使い勝手の向上が図れるので、広く加熱調理器に応用可能である。
【０１０９】
実施の形態４
（構成と動作）
本発明の実施の形態４に係る加熱調理器の構成は、本発明の実施の形態１に係る加熱調理器と一部が異なるだけであり、ここでは異なる箇所を説明し、その他の説明は本発明の実施の形態１の加熱調理器と同様であるので省略する。
【０１１０】
図１９は本発明の実施の形態４に係る加熱調理器の基本構成を示すブロック図、図２０は本発明の実施の形態４に係る加熱調理器の表示の一例を示す模式図、図２１は本発明の実施の形態４に係る加熱調理器の表示近傍の模式断面図、図２２は本発明の実施の形態４に係る加熱調理器の調理メニュー表示の変遷の一実施例を示す模式図である。
【０１１１】
以下、図１９〜図２２により本発明の実施の形態４の加熱調理器の構成と動作を説明する。なお、それぞれの図において、同じ部分または相当する部分には同じ符号を付し、一部の説明を省略する場合がある。
【０１１２】
本発明の実施の形態４の加熱調理器では、図１９に示すように上面操作部５０は、入力開始キー５０ａと画面切替検知手段５１で構成される。入力開始キー５０ａは図２０に示すようにトッププレート２の表面（被加熱物９の載置面）に印刷されており、実際の入力は図示しないトッププレート２の裏面側に設けられた例えば静電容量式のタッチスイッチにより行われる。
【０１１３】
図２１に示すように画面切替検知手段５１は、入力開始キーと同様にトッププレート２の裏面側に設けられたタッチスイッチであり、光を透過することができる例えばフィルム状のもので、基板１４上に配設された表示手段１３の上方に重なるように、表示手段１３と所定の隙間を空けてトッププレート２の裏面側に設けられている。
【０１１４】
入力開始キー５０ａにより入力を開始すると、図２０に示すように表示手段１３の例えば表示エリアａである１３ａに調理メニューが表示される。この調理メニューの表示は図２２（ｂ）の調理メニューの表示と同様である。
【０１１５】
この状態から、トッププレート２の表面を、図２１に示すように指先でＪ方向あるいはＫ方向になぞると、その指先の動きを画面切替検知手段５１が検知する。画面切替検知手段５１が検知した指先の動いた方向に対する検知信号が制御手段１５に送られ、制御手段１５が表示手段１３の表示を変える。
【０１１６】
画面切替検知手段５１が、指先がＪ方向あるいはＫ方向に動いたことを検知したときは、調理メニューは上下方向にスクロールして表示が変わる。指先での操作は、図２０に示すように調理メニューの表示されているトッププレート２の表面をＪ方向あるいはＫ方向にスクロールするイメージであり、特許第４７４３９１９号に開示された操作のように、一般的に知られている操作と同様のものである。なお、図２０に示すＪ方向とＫ方向を示す文字及び矢印は便宜的に示しているもので、実際に表示されるものではない
【０１１７】
図２２を使って詳しく説明すると、指先がＪ方向に動いたことを検知したときは、（ｂ）の表示状態である中央に調理メニューであるオーブンの文字が大きく表示され、その上方にグリルの文字が、その下方にあたための文字がそれぞれ小さく表示されている状態から、あたための文字が下から中央の位置に上がって大きく表示され、オーブンの文字が中央の位置から上に上がって小さく表示され、それまで隠れていた調理メニューである姿焼きの文字が、あたための文字の下方に小さい文字で出現した（ｃ）の表示状態にスクロールして表示が変わるということである。あたためと姿焼きの間には、目印線２７が引かれており、あたためが複数の調理メニューの最後に表示される調理メニューであることを表している。これにより、使用者が調理メニューの表示が一巡したことを認知できる。
【０１１８】
同様に、指先がＫ方向に動いたことを検知したときは、（ｂ）の表示状態である中央に調理メニューであるオーブンの文字が大きく表示され、その上方にグリルの文字が、その下方にあたための文字がそれぞれ小さく表示されている状態から、グリルの文字が上から中央の位置に下がって大きく表示され、オーブンの文字が中央の位置から下に下がって小さく表示され、それまで隠れていた調理メニューである小魚の文字が、グリルの文字の上方に小さい文字で出現した（ａ）の表示状態にスクロールして表示が変わるということである。
【０１１９】
なお、調理メニューの表示を変更させるように制御手段１５が表示手段１３を制御する場合、使い勝手を考慮して、所定の距離以上指先を移動させたことを検知したことにより表示を変更させるようになっている。
【０１２０】
例えば、表示エリアａ（１３ａ）におけるＪからＫ方向（縦方向）に、その寸法の１／３未満の移動距離の検知では表示変更はせず、１／３以上の移動距離を検知したときに表示変更するということである。これで、意図しない少しの指先の動きで調理メニューが変更されることはなく、意思を持って指先を動かすことで調理メニューが変更されるようになる。
【０１２１】
このときの表示イメージは、指先の動きに合わせ、Ｊ方向あるいはＫ方向に表示がスクロールし、１／３未満の移動距離の検知では途中までスクロールした表示が元に戻り、１／３以上の移動距離の検知で次の調理メニューの表示が中央までスクロールして表示されるというものである。但し、１／３未満、１／３以上の移動距離というのはこれに限定されるものではなく、操作感を損なわない範囲で適宜変更することができるものである。
【０１２２】
上記のように表示をスクロールし、使用したい調理メニューを表示させて、所定の時間、例えば３秒間その表示状態が維持されると、メニュー決定信号が制御手段１５に送られ、これにより制御手段１５は調理メニューが確定したと判断し調理が開始される。
【０１２３】
なお、ここでは所定の時間、その表示状態が維持されると調理メニューが確定するとしたが、表示が３秒間維持されたことを視覚的に認知させるようにしてもよい。
【０１２４】
例えば、表示エリアａ（１３ａ）の外周に枠上の発光部を設け、調理メニューの選択（表示の変更）中はその発光部を点滅させて、特定の調理メニューの表示が３秒間維持されると、調理メニューが確定したとして点滅から点灯に発光状態を変えたり、表示エリアａ（１３ａ）の調理メニューの文字を表示している以外の表示部分の表示色を、調理メニューの選択（表示の変更）中の表示色と、特定の調理メニューの表示が３秒間維持された後で調理メニューが確定したとして表示色を変えたりすることで、使用者に調理メニューが確定したことを容易に認知させることができる。
【０１２５】
また、調理の開始については、所定の時間、表示状態が維持されることで開始される例で説明したが、これに限定されるものではなく、調理開始を図示しないキーによる操作で制御手段１５に入力するようにしてもよい。
【０１２６】
以上のように、調理メニューを上下の中央位置に大きい文字で表示し、その上下に、選択した調理メニューの次に選択が可能な調理メニューを、選択した調理メニューよりも小さい文字で同時に表示することで、使用者は選択した調理メニューを明確に認知でき、さらにその前後にあるメニューを容易に視認しながら、その表示の上を指先でスクロールすることで調理メニューが選択しやすくなり、より操作性が向上する。
【符号の説明】
【０１２７】
Ａ  発光部、Ｂ  発光部、Ｃ  発光部、Ｄ  発光部、Ｅ  発光部、Ｆ  発光部、Ｇ  発光部、Ｈ  発光部、Ｉ  発光部、Ｊ  移動方向、Ｋ  移動方向、１  本体、２  トッププレート、２ａ  窓部、３  枠体、４  天板、５  上面操作部、５ａ  入力開始キー、５ｂ  メニューキー、５ｃ  温度／焼き色設定キー、５ｄ  時間設定キー、５ｅ  表示順序変更キー、５ｆ  メニュー取込みキー、６  電源スイッチ、７  調理庫、７ａ  調理庫用加熱手段、８  調理庫扉、９  被加熱物、１０  左加熱手段、１１  右加熱手段、１２  中央加熱手段、１３  表示手段、１３ａ  表示エリアａ、１３ｂ  表示エリアｂ、１３ｃ  表示エリアｃ、１４  基板、１５  制御手段、１６  記憶手段、１７  左加熱手段用インバーター回路、１８  右加熱手段用インバーター回路、１９  中央加熱手段用インバーター回路、２０  報知手段、２１  位置表示手段、２２  メニュー取込み手段、２３  携帯端末、２４  前面操作部、２５  入力開始キー、２６  メニューキー、２７目印線、２８  携帯端末感知エリア、５０  上面操作部、５０ａ  入力開始キー、５１  画面切替検知手段、８１  本体、８２  前面操作部、８３  表示手段、８４  調理庫、８５  調理庫扉、８６  把持部、８７  入力開始キー、８８  メニューキー、１００  加熱調理器、２００  加熱調理器。
【図１】
2015041328.tif 000003
【図２】
2015041328.tif 000004
【図３】
2015041328.tif 000005
【図４】
2015041328.tif 000006
【図５】
2015041328.tif 000007
【図６】
2015041328.tif 000008
【図７】
2015041328.tif 000009
【図８】
2015041328.tif 000010
【図９】
2015041328.tif 000011
【図１０】
2015041328.tif 000012
【図１１】
2015041328.tif 000013
【図１２】
2015041328.tif 000014
【図１３】
2015041328.tif 000015
【図１４】
2015041328.tif 000016
【図１５】
2015041328.tif 000017
【図１６】
2015041328.tif 000018
【図１７】
2015041328.tif 000019
【図１８】
2015041328.tif 000020
【図１９】
2015041328.tif 000021
【図２０】
2015041328.tif 000022
【図２１】
2015041328.tif 000023
【図２２】
2015041328.tif 000024